(57)【要約】【課題】  使用者の体格に合わせてきめ細かく座部の高さ等の寸法調節が可能であり、寸法調節の際に手間がかからず、迅速に調節することが可能な椅子を提供する。【解決手段】  固定脚１２と、固定脚１２に対し上下動可能に取り付けられ、座部１６とともに上下動する可動脚１４とを備え、可動脚１４には背もたれ１８が設けられ、可動脚１８が上下動することによって座部１６の高さ、並びに背もたれ１８の高さを変化させる縦方向駆動機構を設けるとともに、可動脚１４には座部１６を奥行き方向に前後動させる横方向駆動機構を設け、背もたれ１８の高さ、座部１６の高さ並びに座部１６の奥行き寸法を、縦方向駆動機構並びに横方向駆動機構が相互間で連動することによって同時に調節可能とした。【選択図】        図１
2007307129.tif 000002
【特許請求の範囲】
【請求項１】
固定脚と、該固定脚に対し上下動可能に取り付けられ、座部とともに上下動する可動脚とを備え、該可動脚には背もたれが設けられ、該可動脚が上下動することによって該座部の高さ、並びに背もたれの高さを変化させる縦方向駆動機構を有するとともに、該可動脚には座部を奥行き方向に前後動させる横方向駆動機構を設け、背もたれの高さ、座部の高さ並びに座部の奥行きの各寸法を、前記縦方向駆動機構並びに横方向駆動機構が相互間で連動することによって同時に調節可能としたことを特徴とする椅子。
【請求項２】
前記縦方向駆動機構は、前記固定脚に対して上下動する可動脚の上下方向の動きを回転力に変換する伝達ギアを備え、該横方向駆動機構は、該伝達ギアの回転力を座部の奥行き方向への動きへ変換するラックを有し、該伝達ギア及びラックとの連動によって、前記可動脚の上下動とともに座部を奥行き方向に移動させることを特徴とする請求項１に記載の椅子。
【発明の詳細な説明】
【技術分野】
【０００１】
本発明は、椅子に係わり、特に座面の高さ、座面の奥行き方向の長さ、背もたれの高さを調節することが可能な椅子に関する。
【背景技術】
【０００２】
従来より、椅子に座る者の体格や姿勢を考慮し、椅子の座面の高さを、ガススプリングなどを利用して任意の位置に調節可能な椅子は存在していた。このような椅子は、背もたれ部分と座部とが一体的に設けられており、座部の上下動に従って背もたれ部分は上下動するが、座部から上方へ延びる背もたれの高さ自体は変化せず、一定のままである。このような椅子は通常、ＪＩＳ規格などに基づいて背もたれの高さや座部の奥行き寸法が設定されている。
【０００３】
一方、特表2000-501969号公報には、座部及び背もたれを、それぞれ水平方向及び垂直の各方向へ調節することが可能な椅子用調節装置が開示されている。具体的には座部の下面に設けられているギアやラック等からなる調節機構を操作することによって座部を水平方向へスライド移動可能とするとともに、背もたれを垂直方向へ移動することができるようになっている。
【特許文献１】特表2000-501969号公報
【発明の開示】
【発明が解決しようとする課題】
【０００４】
しかしながら、前述したガススプリングによって座部だけを上下動させる椅子の場合は、基本的には規格で座部の奥行きや、背もたれの高さなどの各寸法が設定されているために、座部の高さ位置が変わるだけで調節可能な範囲が限定され、個々人の体格に合わせたきめ細かな調節を行うことができず、個人差のある一人一人の体格にフィットする状態に調節することが中々難しいという問題点があった。
【０００５】
また、特表2000-501969号公報記載の発明は、座部と背もたれの水平方向及び垂直方向への移動を連動させることができるが、やはり、座部の高さ方向の調節については、別途行う必要があり、このため、座部の高さの調節を、背もたれの高さなどと同期して行うことができず、特に微調整には手間がかかるという課題があった。つまり、従来の椅子の場合、人体形状の大小に合わせて座部の高さ、背もたれの高さ、座部の奥行きの３つの各寸法を相似的にバランスさせて変化させることは調整を行う際に手間がかかり、又、これらの３つを１回の動作で同時に調整し得る椅子は存在しなかった。
【０００６】
本発明は、このような諸事情に対処するために提案されたものであって、椅子の使用者の体格に合わせてきめ細かく座部の高さ等の寸法調節が可能であり、しかも調節の際に手間がかからず、使用者の体格に合わせて迅速に調節することができる椅子を提供することを目的とする。
【課題を解決するための手段】
【０００７】
上記目的を達成するために、請求項１記載の発明は、固定脚と、該固定脚に対し上下動可能に取り付けられ、座部とともに上下動する可動脚とを備え、該可動脚には背もたれが設けられ、該可動脚が上下動することによって該座部の高さ、並びに背もたれの高さを変化させる縦方向駆動機構を有するとともに、該可動脚には座部を奥行き方向に前後動させる横方向駆動機構を設け、背もたれの高さ、座部の高さ並びに座部の奥行きの各寸法を、前記縦方向駆動機構並びに横方向駆動機構が相互間で連動することによって同時に調節可能としたことを特徴とする。
【０００８】
請求項２記載の発明は、請求項１において、前記縦方向駆動機構は、前記固定脚に対して上下動する可動脚の上下方向の動きを回転力に変換する伝達ギアを備え、該横方向駆動機構は、該伝達ギアの回転力を座部の奥行き方向への動きへ変換するラックを有し、該伝達ギア及びラックとの連動によって、前記可動脚の上下動とともに座部を奥行き方向に移動させることを特徴とする。
【発明の効果】
【０００９】
上述のように、請求項１記載の発明によれば、椅子に設けられた縦方向駆動機構、並びに横方向駆動機構によって、個々人で異なる体格に合わせ、座部の高さや奥行き寸法、背もたれの高さ寸法をきめ細かく調節することが可能であり、個々人の体格に合わせて椅子の座部の高さ寸法、背もたれの高さ寸法、座部の奥行き寸法を容易且つ迅速に調節することができる。
【００１０】
特に、請求項２記載の発明によれば、縦方向駆動機構は、固定脚に対して可動脚の上下方向の動きを回転力に変換する伝達ギアを備えるとともに、横方向駆動機構は、伝達ギアの回転力を座部の奥行き方向への動きへ変換するラックを有しているので、座部の上下方向の動きを確実に、座部の奥行き方向の動きへ変換することができ、座部の高さ寸法の調節に合わせて、座部の奥行き寸法を同時に且つ最適な寸法に調節することができる。
【発明を実施するための最良の形態】
【００１１】
以下、本発明に係る椅子の好適な実施形態について添付図面を参照して説明する。図１は本発明の一つの実施形態に係る椅子の概略斜視図、図２は内部の縦方向駆動機構並びに横方向駆動機構を示す透視斜視図である。
【００１２】
図１及び図２に示されるように、本実施形態の椅子１０は、左右一対の固定脚１２，１２と、可動脚１４，１４と、座部１６、背もたれ１８等とを主な要素として構成されている。固定脚１２，１２は、床面に接する平面視Ｈ形の接地部２０の左右の端部中央付近に、やや傾斜した角度でそれぞれ立設されている。
図３は、２本の固定脚１２，１２のうち、一方側の固定脚１２の詳細を示した図であり、同図にも示されるように、固定脚１２は側面の一部に、開口部２１が形成されているが、全体としてはコ字状断面を有し、内側の後部側に長手方向に沿ってラック２２が取り付けられている。開口部２１は、座部１６を上下動させる伝達軸３０Ａ（図２参照）を案内し、伝達軸３０Ａが開口部２１に沿って移動することにより、座部１６の上下動が可能になっている。図３には図示しない他方側の固定脚１２は、一方側の固定脚１２と左右対称の形状に形成され、その内側には一方側の固定脚１２と同様にラック２２が取り付けられている。
【００１３】
図４は、可動脚１４の詳細を示した図であり、同図に示されるように、可動脚１４の上部には、背もたれ１８の右側端部が取り付けられ、他方側の可動脚１４の上部に、背もたれ１８の左側端部が取り付けられている。一方側の可動脚１４は、固定脚１２と同様に全体としてコ字状断面に形成されているが、固定脚１２の内側に対し、嵌め込み可能な寸法となるように、小さな寸法に形成されている。可動脚１４の内側の前部側には、ラック２４が長手方向に取り付けられ、このラック２４は、可動脚１４を固定脚１２Ａに嵌め込んで取り付けたときに、ラック２２と一定のクリアランスをもって相互に平行に対向するようになっており、これによって可動脚１４は固定脚１２に対し、スライドしながら上下動することが可能になっている。図１及び図２に示されるように、固定脚１２の上部と、可動脚１４との間には、角形パイプ状の固定部材２５が嵌め込まれ、これにより固定脚１２に対し、可動脚１４が伸び縮み可能に連結された形となる。
【００１４】
図２及び図４に示されるように、可動脚１４の内部には、その下部にストッパ２６が矢印方向に回動可能に取り付けられており、その回動軸に介在されたバネ２８によって半時計方向に付勢されている。このストッパ２６は、その先端部２６Ａが前述した固定脚１２のラック２２と係合することにより、可動脚１４を固定脚１２に対して固定するようになっている。ストッパ２６は、ワイヤ２７Ａ、張力調節手段２７Ｂを介して駆動片２７Ｃと連結されており、この駆動片２７Ｃを背もたれ１８の中央部に設けられたレバー１８Ａを上方に持ち上げることによって駆動片２７Ｃが上方向に移動し、ワイヤ２７Ａ、張力調節手段２７Ｂを介してストッパ２６を、バネ２８の付勢力に抗して時計方向へ回動させ、ラック２２との係合を解除することにより、可動脚１４は上下のいずれかの方向へ移動すること可能となる。
【００１５】
図１及び図２に示されるように、座部１６は、直角三角形状の前部取付片２８Ａと後部取付片２８Ｂとによって可動脚１４を、その前側及び後側から挟み込むようにして取り付けられており、可動脚１４とともに上下動するようになっている。図５は椅子１０の正面図であり、同図にも示されるように、内側取付片２８Ｃ，２８Ｃの上部には、それぞれスライドレール２９、２９が取り付けられ、このスライドレール２９上を座部１６が、後述する横方向駆動機構によって前後方向（横方向）へスライド可能に取り付けられている。
【００１６】
図６は図５のＶＩ−ＶＩ線に沿った矢視断面図であり、固定脚１２に可動脚１４を取り付けた状態を示している。図２並びに図６に示されるように、可動脚１４のラック２４は、固定脚１２のラック２２との間に配設された伝達ギア３２Ａと噛み合っている。伝達ギア３２Ａは、左右の可動脚１４，１４間の伝達軸３０Ａの側端部に、それぞれ取り付けられており、伝達ギア３２Ａが各ラック２２，２４と噛み合うことによって固定脚１２に対し、伝達軸３０Ａが回転しながら可動脚１４が上下動する。このように、固定脚１２、並びに可動脚１４に内臓されたラック２２，２４、ストッパ２６、ワイヤ２７Ａ、張力調節手段２７Ｂ、駆動片２７Ｃ、伝達ギア３２Ａ等は、本実施形態の椅子１０における座部１６を上下動させるための縦方向駆動機構を構成している。
【００１７】
図７は座部１６の詳細を示した図、図８は図７のＶＩＩＩＡ−ＶＩＩＩＡ線、並びにＶＩＩＩＢ−ＶＩＩＩＢ線に沿った矢視図である。
前述したように、座部１６の下方には、伝達軸３０Ａが配設され、図７（Ａ）に示されるように、伝達軸３０Ａは、後部取付片２８Ｂ，内側取付片２８Ｃから端部が貫通する形で架設されているとともに、伝達軸３０Ａの中央部に伝達ギア３２Ｂが取り付けられている。内側取付片２８Ａ，２８Ａ間には、補強枠３４が取り付けられている。
【００１８】
図７（Ｂ）に示されるように、伝達軸３０Ａの後方には、伝達軸３０Ｂが内側取付片２８Ｃ，２８Ｃの間に架設され、伝達軸３０Ａの中央部に伝達ギア３２Ｃが取り付けられている。伝達ギア３２Ｃは伝達ギア３２Ｂを噛み合っており、伝達軸３０Ａの回転が、伝達軸３０Ｂへ伝達されるようになっている。座部１６の下面には、ラック３６が前後方向に沿って取り付けられており、図８（Ｂ）にも示されるように、このラック３６に伝達ギア３２Ｃが噛み合っている。これにより、可動脚１４Ａ，１４Ｂの縦方向の動きは、ラック２２，２４を介して伝達ギア３２Ａ、伝達軸３０Ａ、伝達ギア３２Ｂ、伝達ギア３２Ｃ、ラック３６へと順次伝達され、座部１６を前後方向（横方向）へ移動させることが可能となる。つまり、ラック２２，２４、伝達ギア３２Ａ、伝達軸３０Ａ、伝達ギア３２Ｂ、伝達ギア３２Ｃ、ラック３６等の各部品は、座部１６を前後方向に移動させる横方向駆動機構を構成している。
【００１９】
次に、前述した本実施形態の椅子１０を使用した場合の作用について説明する。
図９（Ａ）は座部１６の高さ並びに奥行き、背もたれ１８の高さの各寸法を、最小にした状態を示す側面図、図９（Ｂ）は縦方向駆動機構を示した図、図９（Ｃ）は横方向駆動機構を示した図である。
【００２０】
図９に示されるように、座部１６の高さを最小とした状態では、可動脚１４は固定脚１２に対し最も奥へ引き込まれた状態となっており、ストッパ２６の先端部２６Ａがラック２２に係合することによって、可動脚１４を固定脚１２に固定している。これによって、伝達軸３０Ａの回転が阻止されるために、伝達ギア３２Ｂとかみ合う伝達ギア３２Ｃ及び伝達軸３０Ｂの回転も規制され、座部１６のラック３６は前後動することなく静止した状態が維持されている。
【００２１】
図１０は、座部１６の高さ寸法、奥行き寸法、並びに背もたれ１８の高さ寸法を変化させる場合の作用を示した図、図１１は寸法調節時の縦方向駆動機構並びに横方向駆動機構の作用を示した図、図１２は寸法調節後の椅子１０を示す概略斜視図である。
【００２２】
図１０に示されるように、背もたれ１８に設けられているレバー１８Ａを上方へ移動させると、縦方向駆動機構を構成する駆動片２７Ｃが移動し、張力調節手段２７Ｂ、ワイヤ２７Ａによってストッパ２６がバネ２８の付勢力に抗して、一点鎖線に示す状態から時計回りに回動する。ストッパ２６が回動すると、先端部２６Ａとラック２２との係合が解除され、可動脚１４を移動させることが可能になる。この状態を維持しながら、可動脚１４を所望の高さ位置へ移動させると、図１１に示されるように、ラック２２、２４に噛み合っている伝達ギア３２Ａが、伝達軸３０Ａとともに矢印方向に回転する。伝達軸３０Ａが回転することによって伝達ギア３２Ｂも回転し、これによって伝達ギア３２Ｂに噛み合う伝達ギア３２Ｃが、伝達軸３０Ｂとともに逆回りに回転する。さらに、伝達ギア３２Ｃの回転は、同ギア３２Ｃが噛み合うラック３６に、横方向の動きとして伝達され、座部１６を前方側へ移動させる。
【００２３】
そして、可動脚１４を所望の高さ位置で固定する際、背もたれ１８のレバー１８Ａを戻すと、ストッパ２６がバネ２８の付勢力によって反時計回りに回動し、先端部２６Ａがラック２２に係合して可動脚１４を固定する。すると、椅子１０は、図１２に示されるように、座部１６の高さ寸法、奥行き寸法、並びに背もたれ１８の高さ寸法が同時に調節された状態となって固定される。このため、座部１６の高さ寸法、奥行き寸法、並びに背もたれ１８の高さ寸法を、同時に調節することができ、各寸法を個別に調節する必要がなくなる。
【００２４】
なお、本実施形態では、縦方向駆動機構として、固定脚１２、並びに可動脚１４に内臓されたラック２２，２４、ストッパ２６、ワイヤ２７Ａ、張力調節手段２７Ｂ、駆動片２７Ｃ、伝達ギア３２Ａ等の部品によって構成しているが、これに限らず、座部１６を上下動させることができ、座部１６の上下動による動きを、横方向駆動機構へ連動させることによって座部１６の奥行き寸法を調節可能であれば、どのような構成でも構わない。つまり、ある所定の比率で、人体形状の大小に合わせて座部の高さ、背もたれの高さ、座部の奥行きの３つの寸法を相似的に変化させて、これらの３つの寸法を同時に調整することができれば、縦方向駆動機構並びに横方向駆動機構は、どのような構成でも構わない。
【００２５】
また、横方向駆動機構については、ラック２２，２４、伝達ギア３２Ａ、伝達軸３０Ａ、伝達ギア３２Ｂ、伝達ギア３２Ｃ、ラック３６等の各部品によって構成しているが、その構成部品等は、これに限られるものではない。例えば、本実施形態では、座部１６の中央部下面にラック３６を配置しているが、これに限らず、左右１対のラックを座部１６の両側に取り付けて構成することも可能である。さらに、ラック３６に替えて薄型のタイミングベルト状に形成された部材を利用することも可能である。
【００２６】
以上、説明したように、本実施形態の椅子によれば、座部１６の高さ寸法、奥行き寸法、並びに背もたれ１８の高さ寸法を、同時に且つ迅速にきめ細かく調節することができ、個々人の体格に合わせることを容易に行うことが可能な椅子を提供することができる。
【産業上の利用可能性】
【００２７】
以上説明したように、本発明によれば、個々人で異なる体格に合わせて、座部の高さや奥行き寸法、背もたれの高さ寸法をきめ細かく調節することが可能であるとともに、しかも、各寸法をワンタッチで同時に調節することができるため、寸法調節に要する手間を大幅に低減することが可能となった。これにより、使用者の年齢が異なる場合や、不特定多数が利用する会場の椅子として、個々人の体格に合わせて椅子の座部の高さ寸法、背もたれの高さ寸法、座部の奥行き寸法を容易且つ迅速に調節することができ、快適な使用感をもたらすことが可能となる。
【図面の簡単な説明】
【００２８】
【図１】本発明の一つの実施形態に係る椅子の概略斜視図である。
【図２】同じく、本発明の一つの実施形態に係る椅子における内部の縦方向駆動機構並びに横方向駆動機構を示す透視斜視図である。
【図３】同じく、本発明の一つの実施形態に係る椅子の２本の固定脚のうち、一方側の固定脚の詳細を示した図である。
【図４】同じく、本発明の一つの実施形態に係る椅子の可動脚の詳細を示した図である。
【図５】同じく、本発明の一つの実施形態に係る椅子の正面図である。
【図６】図５のＶＩ−ＶＩ線に沿った矢視断面図である。
【図７】本発明の一つの実施形態に係る椅子の座部の詳細を示した図である。
【図８】図７のＶＩＩＩＡ−ＶＩＩＩＡ線、並びにＶＩＩＩＢ−ＶＩＩＩＢ線に沿った矢視図である。
【図９】本発明の一つの実施形態に係る椅子の座部の高さ並びに奥行き、背もたれの高さの各寸法を最小にした状態を示す側面図等である。
【図１０】同じく、本発明の一つの実施形態に係る椅子の座部の高さ寸法、奥行き寸法、並びに背もたれの高さ寸法を変化させる場合の作用を示した図である。
【図１１】同じく、本発明の一つの実施形態に係る椅子の寸法調節時の縦方向駆動機構並びに横方向駆動機構の作用を示した図である。
【図１２】同じく、本発明の一つの実施形態に係る椅子の寸法調節後の椅子を示す概略斜視図である。
【符号の説明】
【００２９】
１０  椅子
１２  固定脚
１４  可動脚
１６  座部
１８  背もたれ
１８Ａ  レバー
２０  接地部
２２  ２４  ラック
２５  固定部材
２６  ストッパ
２６Ａ  先端部
２７Ａ  ワイヤ
２７Ｂ  張力調節手段
２７Ｃ  駆動片
２８  バネ
２８Ａ  前部取付片
２８Ｂ  後部取付片
２８Ｃ  内側取付片
３０Ａ  ３０Ｂ  伝達軸
３２Ａ  ３２Ｂ  ３２Ｃ  伝達ギア
３４  補強枠
３６  ラック
【図１】
2007307129.tif 000003
【図２】
2007307129.tif 000004
【図３】
2007307129.tif 000005
【図４】
2007307129.tif 000006
【図５】
2007307129.tif 000007
【図６】
2007307129.tif 000008
【図７】
2007307129.tif 000009
【図８】
2007307129.tif 000010
【図９】
2007307129.tif 000011
【図１０】
2007307129.tif 000012
【図１１】
2007307129.tif 000013
【図１２】
2007307129.tif 000014